(57)【要約】【課題】表示される医用情報画像が所定の基準に該当するか否かを容易に把握することができる医用情報画像表示システムを提供する。【解決手段】医用画像データが記憶された記憶部と、医用画像データが所定の基準日よりも前であるか否かを判定する判定部と、前記医用画像データに基づく医用画像であって、前記基準日よりも前であるか否かを区別できる表示形態の医用情報画像が表示される表示部とを備える。前記基準日よりも前である場合、前記基準日よりも前であるか否かを区別できる表示形態の医用画像として、医用画像に枠Ｆｒが付された枠付医用画像Ｇ２が表示される。【選択図】図７
2012196297.tif 000002
【特許請求の範囲】
【請求項１】
医用情報画像データが所定の基準に該当するか否かを判定する判定部と、
前記医用情報画像データに基づく医用情報画像であって、前記所定の基準に該当するか否かを区別できる表示形態の医用情報画像が表示される表示部と、
を備えることを特徴とする医用情報画像表示システム。
【請求項２】
前記医用情報画像データを記憶する記憶部を備えることを特徴とする請求項１に記載の医用情報画像表示システム。
【請求項３】
前記判定部の判定結果に基づいて、前記所定の基準に該当するか否かを区別できる表示形態の医用情報画像を作成する作成部を備えることを特徴とする請求項１又は２に記載の医用情報画像表示システム。
【請求項４】
前記所定の基準に該当するか否かを区別できる表示形態の医用情報画像のデータを記憶する記憶部を備えることを特徴とする請求項１〜３のいずれか一項に記載の医用情報画像表示システム。
【請求項５】
前記記憶部に記憶された医用情報画像のデータに基づく医用情報画像が前記表示部に表示されることを特徴とする請求項４に記載の医用情報画像表示システム。
【請求項６】
前記所定の基準は、時間の要素を含むものであることを特徴とする請求項１〜５のいずれか一項に記載の医用情報画像表示システム。
【請求項７】
前記所定の基準は、前記医用情報画像が所定の基準日よりも前に作成されたか否かに関するものであることを特徴とする請求項６に記載の医用情報画像表示システム。
【請求項８】
サーバ及び該サーバとネットワークを介して接続された端末装置とを備え、
前記サーバに前記判定部が設けられ、
前記端末装置に前記端末装置に前記表示部が設けられている
ことを特徴とする請求項１〜７のいずれか一項に記載の医用情報画像表示システム。
【請求項９】
前記所定の基準に該当するか否かを区別できる表示形態の医用情報画像は、縁取りが表示された画像であることを特徴とする請求項１〜８のいずれか一項に記載の医用情報画像表示システム。
【請求項１０】
コンピュータに、
医用情報画像データが所定の基準に該当するか否かを判定する判定機能と、
前記医用情報画像データに基づく医用情報画像であって、前記所定の基準に該当するか否かを区別できる表示形態の医用情報画像を表示させる表示制御機能と、
を実行させることを特徴とする医用情報画像表示システムの制御プログラム。
【請求項１１】
コンピュータに、
前記判定機能による判定結果に基づいて、前記所定の基準に該当するか否かを区別できる表示形態の医用情報画像を作成する作成機能を実行させる
ことを特徴とする請求項１０に記載の医用情報画像表示システムの制御プログラム。
【発明の詳細な説明】
【技術分野】
【０００１】
本発明は、医用情報画像を表示する医用情報画像表示システム及びその制御プログラムに関する。
【背景技術】
【０００２】
Ｘ線ＣＴ画像やＭＲＩ画像などの医用画像、カルテの画像、読影レポートの画像などの医用情報画像を表示するシステムが知られている。このような医用情報画像表示システムとして、例えば特許文献１には、画像サーバに記憶された医用画像データに基づく画像が読影端末のモニタに表示される医用情報画像表示システムが開示されている。
【先行技術文献】
【特許文献】
【０００３】
【特許文献１】特開２０１０−５７７２６号公報
【発明の概要】
【発明が解決しようとする課題】
【０００４】
ところで、例えば同じ患者について画像サーバに撮影日が異なる医用画像データが記憶されている場合がある。この場合、例えば最も撮影日が新しい医用画像について、読影医が読影レポート端末において読影レポートを作成しようとする際に、誤って古い医用画像を表示することも考えられる。従って、最新の医用画像が表示されているか否かを容易に確認できることが望ましい。また、例えば臨床医が治療前の医用画像と治療後の医用画像とを二枚並べて比較する場合もある。このような場合、両画像を容易に区別できることが望ましい。
【０００５】
以上より、表示される医用情報画像について、撮影日が所定の基準日よりも前であるか否かなど、所定の基準に該当するか否かを容易に把握することができる医用情報画像表示システムが望まれている。
【課題を解決するための手段】
【０００６】
上述の課題を解決するためになされた発明は、医用情報画像データが所定の基準に該当するか否かを判定する判定部と、前記医用情報画像データに基づく医用情報画像であって、前記所定の基準に該当するか否かを区別できる表示形態の医用情報画像が表示される表示部と、を備えることを特徴とする医用情報画像表示システムである。
【発明の効果】
【０００７】
上記観点の発明によれば、所定の基準に該当するか否かを区別できる表示形態の医用情報画像が表示されるので、表示された医用情報画像が所定の基準に該当するか否かを容易に把握することができる。
【図面の簡単な説明】
【０００８】
【図１】本発明に係る医用情報画像表示システムのブロック図である。
【図２】図１に示す医用情報画像表示システムにおける読影端末のブロック図である。
【図３】図１に示す医用情報画像表示システムにおける画像サーバのブロック図である。
【図４】医用情報画像の取得の処理を示すフローチャートである。
【図５】医用情報画像の表示の処理を示すフローチャートである。
【図６】モニタに表示された医用画像（枠無し）の一例を示す図である。
【図７】モニタに表示された枠付医用画像の一例を示す図である。
【図８】実施形態の変形例においてモニタに並列表示された医用画像及び枠付医用画像の一例を示す図である。
【図９】実施形態の変形例においてモニタに並列表示された枠付医用画像の他例を示す図である。
【図１０】モニタに表示された医用画像の他例を示す図である。
【発明を実施するための形態】
【０００９】
以下、本発明の実施形態について図１〜図７に基づいて説明する。図１に示す医用情報画像表示システム１００は、ＨＩＳ（Ｈｏｓｐｉｔａｌ  Ｉｎｆｏｍａｔｉｏｎ  Ｓｙｓｔｅｍ）１とＲＩＳ（Ｒａｄｉｏｌｏｇｙ  Ｉｎｆｏｒｍａｔｉｏｎ  Ｓｙｓｔｅｍ）サーバ（Ｓｅｒｖｅｒ）２とがゲートウェイ（Ｇａｔｅｗａｙ）装置３を介して接続されている。また、前記医用情報画像表示システム１において、前記ＲＩＳサーバ２、読影端末４、読影レポートサーバ５、画像サーバ６及びモダリティ（Ｍｏｄａｌｉｔｙ）７が、ネットワーク（Ｎｅｔｗｏｒｋ）８を介して接続され、このネットワークを介してデータのやり取りが行なわれる。
【００１０】
前記ＨＩＳ１は、特に図示しないが汎用型のパーソナルコンピュータ（Ｐｅｒｓｏｎａｌ  Ｃｏｍｐｕｔｅｒ）からなるＨＩＳ端末を有している。例えば、臨床医は前記ＨＩＳ端末を用いて、医用画像の撮影を依頼（検査依頼）しようとする案件（撮影依頼案件）の情報、すなわち撮影依頼情報を入力する。撮影依頼情報には、患者の氏名、ＩＤ、依頼医の氏名、撮影モダリティ等の情報が含まれる。また、前記ＨＩＳ端末において、臨床医は撮影依頼を行なうことができる。さらに、前記ＨＩＳ端末のモニタ（ｍｏｎｉｔｏｒ）には、前記モダリティ７で撮影された医用画像や前記読影端末４で作成された読影レポートなどが表示される。
【００１１】
前記ＲＩＳサーバ２には、前記ＨＩＳ１から前記ゲートウェイ装置３を介して入力される撮影依頼情報等のデータが記憶される。また、前記ＨＩＳ端末に表示される医用画像や読影レポート等のデータは、前記画像サーバ６や前記読影レポートサーバ５等から前記ＲＩＳサーバ２及び前記ゲートウェイ装置３を介して前記ＨＩＳ端末に出力される。
【００１２】
前記ＲＩＳサーバ２に記憶されたデータは、前記ネットワーク８を介して前記読影レポートサーバ５や前記画像サーバ６等に記憶される。ちなみに、前記ＲＩＳサーバ２、前記読影レポートサーバ５及び前記画像サーバ６は、サーバとして公知の構成を有している。
【００１３】
前記読影端末４は、汎用型のパーソナルコンピュータであり、図２に示すように、モニタ４１及びこのモニタ４１に画像を表示させる表示制御機能を実行させる表示制御部４２を有する。なお、ここでは詳細な構成は省略する。前記読影端末４は、本発明における端末装置の実施の形態の一例である。また、前記モニタ４１は、本発明における表示部の実施の形態の一例である。また、前記表示制御機能は、本発明における表示制御機能を実行する。
【００１４】
前記読影レポートサーバ５には、前記読影端末４において作成された読影レポートや前記撮影依頼情報、読影レポートの作成日などの情報が記憶されている。
【００１５】
前記画像サーバ６は、図３に示すように記憶部６１、検索部６２、判定部６３及び枠付医用情報画像データ作成部６４を有している。前記画像サーバ６は、本発明におけるサーバの実施の形態の一例である。
【００１６】
前記記憶部６１には、医用情報画像のデータ（以下、「医用情報画像データ」と云う）や後述の枠付医用情報画像データなどが記憶される。また、前記記憶部６１には、前記モダリティ７で撮影された医用画像のデータと対応付けて撮影依頼情報が記憶される。前記記憶部６１は、本発明における記憶部の実施の形態の一例である。
【００１７】
医用情報画像は、医用情報に関する画像であり、前記モダリティ７で撮影された医用画像のほか、臨床医によって作成されたカルテなども含まれる。このカルテは、紙に書かれたものを電子データにしたものでもよいし電子カルテであってもよい。
【００１８】
ちなみに、医用情報画像には、前記読影レポートサーバに記憶され前記読影端末４に表示される読影レポートの画像も含まれる。
【００１９】
前記検索部６２は、前記記憶部６１に記憶された前記医用情報画像データを検索する。前記判定部６３は、前記記憶部６１に記憶された前記医用情報画像データが所定の基準に該当するか否かを判定する（判定機能）。前記判定部６３は、本発明における判定部の実施の形態の一例であり、前記判定機能は本発明における判定機能の実施の形態の一例である。
【００２０】
前記枠付医用情報画像データ作成部６４は、前記判定部６３の判定結果に基づいて、前記所定の基準に該当するか否かを区別できる表示形態の医用情報画像データとして、医用情報画像に枠Ｆｒ（図７参照）が付された枠付医用情報画像データを作成する（枠付医用情報画像データ作成機能）。前記枠付医用情報画像データ作成部６４は、本発明における作成部の実施の形態の一例である。また、枠付医用情報画像データ作成機能は、本発明における作成機能の実施の形態の一例である。さらに、医用情報画像に付された枠Ｆｒは本発明における縁取りの実施の形態の一例である。
【００２１】
なお、後述するように、本例では前記検索部６２の検索対象及び前記判定部６３の判定対象は医用画像データであり、前記枠付医用情報画像データ作成部６４は、枠付医用情報画像データとして、枠付医用画像（図７参照）のデータ（以下、「枠付医用画像データ」と云う）を作成する。前記枠付医用情報画像データは、所定の基準に該当するか否かを区別できる表示形態の医用情報画像データの実施の形態の一例である。
【００２２】
前記モダリティ７としては、例えばＸ線ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置、超音波診断装置、一般Ｘ線撮影装置、核医学診断装置などが前記ネットワーク８に接続されている。
【００２３】
次に、前記医用情報画像表示システム１００における作用について説明する。先ず、医用情報画像の取得について図４のフローチャートに基づいて説明する。ここでは、医用情報画像として医用画像を例に挙げて説明する。
【００２４】
先ず、ステップＳ１では、前記ＨＩＳ１から前記ゲートウェイ装置３を介して、前記ＲＩＳサーバ２へ撮影依頼情報が出力される。撮影依頼情報は、例えば臨床医が前記ＨＩＳ端末において撮影依頼の操作を行なうことにより出力される。次に、ステップＳ２では、前記ＲＩＳサーバ２に記憶された撮影依頼情報が、前記読影レポートサーバ５及び画像サーバ６に記憶される。より詳細には、前記撮影依頼情報は、前記ネットワーク８を介して先ず前記読影レポートサーバ５に記憶される。
【００２５】
さらに、前記読影レポートサーバ５に記憶された前記撮影依頼情報は、前記ネットワーク８を介して前記画像サーバ６に出力され、この画像サーバ６の記憶部６１に記憶される。ただし、前記撮影依頼情報は、前記ＲＩＳサーバ２から前記画像サーバ６に直接記憶されてもよい。
【００２６】
次に、ステップＳ３では、撮影依頼案件について、前記モダリティ７において医用画像の撮影を行なう。得られた医用画像のデータは、前記ネットワーク８を介して前記画像サーバ６に記憶される。この画像サーバ６において、前記医用画像のデータは、前記撮影依頼情報と関連付けて記憶される。前記画像サーバ６には前記医用画像のデータと関連付けて撮影日の情報も記憶される。撮影日の情報は、前記読影レポートサーバ５にも記憶される。
【００２７】
次に、医用画像の表示について図５のフローチャートに基づいて説明する。ここでは、前記読影端末４のモニタ４１に医用画像を表示させる場合について説明する。先ず、ステップＳ１１では、前記読影端末４において、操作者（例えば読影医）が、医用画像を表示させようとする患者の氏名やＩＤなどを入力すると、その患者について撮影された医用画像のリストが前記モニタ４１に表示される。ちなみに、前記医用画像のリストは、撮影日や医用画像のファイル名など、医用画像を特定する情報で構成される。
【００２８】
次に、ステップＳ１２では、前記リスト上において、操作者が表示させたい医用画像の項目を選択すると、選択された医用画像を特定するための情報が前記読影端末４から前記画像サーバ６へ出力される。そして、ステップＳ１３では、前記画像サーバ６の検索部６２が、前記読影端末４から入力された情報に基づいて、前記記憶部６１に記憶された医用画像の中から、前記読影端末４で選択された医用画像の検索を行なう。
【００２９】
前記ステップＳ１３において医用画像が抽出されると、ステップＳ１４では、抽出された医用画像に対して、前記判定部６３が所定の基準を満たすか否かを判定する。ここでは、前記判定部６３は、所定の基準として、医用画像の撮影日が、所定の基準日よりも前であるという基準を満たすか否かを判定する。
【００３０】
ステップＳ１４において、撮影日が所定の基準日と同日又は基準日よりも後であると判定された場合（ステップＳ１４において「ＮＯ」）、ステップＳ１５の処理へ進む。このステップＳ１５では、前記記憶部６１に記憶された医用画像データが前記読影端末４へ出力され、前記表示制御部４２は図６に示すように医用画像Ｇ１を前記モニタ４１に表示させる。
【００３１】
一方、ステップＳ１４において、撮影日が所定の基準日よりも前であると判定された場合（ステップＳ１４において「ＹＥＳ」）、ステップＳ１６の処理へ進む。このステップＳ１６では、前記枠付医用情報画像データ作成部６４が、前記ステップＳ１３で抽出された医用画像データに枠を付して枠付医用画像データを作成する。そして、ステップＳ１７では、前記枠付医用画像データが前記読影端末４へ出力され、前記表示制御部４２は図７に示すように前記モニタ４１に枠付医用画像データに基づく枠付医用画像Ｇ２を表示させる。この枠付医用画像Ｇ２は、医用画像の周囲に所定の色の枠Ｆｒが付された画像である。従って、前記枠付医用画像Ｇ２は、前記医用画像Ｇ１と区別できる表示形態の医用画像になっている。
【００３２】
ちなみに、所定の月数毎や年数毎など、撮影日に応じて前記枠Ｆｒの色やグレーレベルを段階的に変えるようにしてもよい。
【００３３】
また、前記枠付医用画像Ｇ２が表示されている場合において、操作者の操作により、枠Ｆｒが消去された医用画像Ｇ２′が表示されるようにしてもよい。具体的には、操作者が読影端末４において枠Ｆｒを消去する指示を入力すると、この指示が前記画像サーバ６に出力される。そして、この画像サーバ６によって、枠Ｆｒの無い医用画像が前記読影端末４に出力され表示される。
【００３４】
以上説明した本例の医用情報画像表示システム１００によれば、撮影日が基準日よりも前の医用画像Ｇ２には枠Ｆｒが表示され、一方で撮影日が基準日と同日又は基準日よりも後である医用画像Ｇ１には前記枠Ｆｒが表示されない。従って、所定の基準日よりも前か否かを直感的に容易に把握することができる。
【００３５】
また、本例では、所定の基準に該当するか否かを区別できる表示形態が枠Ｆｒなので、医用画像の観察の妨げとならず、医用画像を変更することなく簡単に付したり消去したりすることもできる。
【００３６】
次に、変形例について説明する。先ず、第一変形例について説明する。前記読影端末４のモニタ４１には、例えば、治療前の医用画像及び治療後の医用画像など、二つの医用画像を並列表示させるようにしてもよい。この場合においても、一方の医用画像の撮影日が所定の基準日よりも前であり、他方の医用画像の撮影日が所定の基準日と同日か後である場合、図８に示すように、前記表示制御部４２は、枠付医用画像Ｇ２と医用画像Ｇ１とを並列表示させる。
【００３７】
二つの医用画像を並列表示させる場合、前記枠付医用情報画像データ作成部６４は、撮影日が所定の基準日と同日か後である医用画像にも枠を付した枠付医用画像のデータを作成してもよい。この場合、図９に示すように、撮影日が所定の基準日よりも前の枠付医用画像Ｇ２と、撮影日が所定の基準日と同日か後である枠付医用画像Ｇ１′とで、枠Ｆｒの色を変える。また、前記枠付医用画像Ｇ２と前記枠付医用画像Ｇ１′とで、枠Ｆｒの表示形態を変えたりしてもよい（例えば一方は所定の色、他方はドット（ｄｏｔ）や斜線など）。
【００３８】
次に、第二変形例について説明する。上記実施形態では、前記読影端末４において表示させたい医用画像が選択されると、前記判定部６３が判定を行ない、前記枠付医用情報画像データ作成部６４が前記枠付医用情報画像データを作成しているが、表示させたい医用画像が選択される前に予め前記枠付医用情報画像データを作成してもよい。この場合、前記記憶部６１に記憶された医用画像データを対象にして、前記判定部６３が所定のタイミングで、撮影日が所定の基準日よりも前であるか否かを判定する。そして、前記枠付医用情報画像データ作成部６４は、撮影日が所定の基準日よりも前である医用情報画像データに枠を付して枠付医用情報画像データを作成する。
【００３９】
作成された枠付医用情報画像データは前記記憶部６１に記憶される。そして、前記読影端末４において、表示させたい医用画像として、撮影日が所定の基準日よりも前である医用画像が選択されると、予め作成されて前記記憶部６１に記憶されている枠付医用情報画像データが前記読影端末４へ出力され表示される。
【００４０】
以上、本発明を前記実施形態によって説明したが、本発明はその主旨を変更しない範囲で種々変更実施可能なことはもちろんである。例えば、医用情報画像及び枠付医用情報画像は、前記ＨＩＳ１のＨＩＳ端末など他の装置のモニタに表示されてもよい。
【００４１】
また、上記実施形態では、医用情報画像の一例として医用画像を例にして説明したが、本発明は医用画像以外の医用情報画像にも同様に適用することができる。例えば、前記画像サーバ６に記憶されたカルテの画像をＨＩＳ端末に表示させる場合に、カルテの作成日が最新ではない場合には周囲に枠が表示された枠付のカルテの画像を表示させ、最新である場合にはカルテの画像をそのまま表示させるようにしてもよい。
【００４２】
また、読影レポートの画像を前記読影端末４や前記ＨＩＳ端末などに表示させる場合に適用してもよい。この場合、前記読影レポートサーバ５は、特に図示しないが、読影レポートが所定の基準を満たすか否か（例えば、作成日又はデータ保存日が最新の日付であるか否かなど）を判定する判定部や、読影レポートの画像に枠が表示された枠付読影レポート画像のデータを作成する枠付医用情報画像データ作成部を有していてもよい。
【００４３】
また、前記判定部６３や前記枠付医用情報画像データ作成部６４を、前記画像サーバ６が有している場合には限られない。例えば、前記読影端末４が前記判定部６３及び前記枠付医用情報画像データ作成部６４を有していてもよい。また、前記判定部６３や前記枠付医用情報画像データ作成部６４を、一つの装置が有している場合には限られない。例えば、前記画像サーバ６が前記判定部６３を有し、前記読影端末４が前記枠付医用情報画像データ作成部６４を有していてもよい。
【００４４】
また、本発明に係る医用情報画像表示システムは、単一の装置において実現されていてもよく、一つの装置に本発明における記憶部と判定部と表示部とが設けられていてもよい。
【００４５】
さらに、前記枠Ｆｒは、本発明における縁取りの一例であるが、ここでいう縁取りは、医用情報画像の四辺全てに付された枠に限られるものではなく、一辺のみ又は二辺、三辺に付されるものであってもよい。例えば、図１０に示すように所定の基準を満たしていない医用情報画像Ｇ３として一辺のみに縁取りとして帯状部Ｂｅが表示された画像を表示してもよい。また、所定の基準を満たしているか否かを区別できる表示形態であればどのようなものであってもよく、例えば特に図示しないが、所定の基準を満たしていない医用情報画像の背景色と、所定の基準を満たしている医用情報画像の背景色とを異なる色にしてもよい。
【符号の説明】
【００４６】
４１  モニタ（表示部）
６１  記憶部
６３  判定部
６４  枠付医用情報画像データ作成部（作成部）
１００  医用情報画像表示システム
【図１】
2012196297.tif 000003
【図２】
2012196297.tif 000004
【図３】
2012196297.tif 000005
【図４】
2012196297.tif 000006
【図５】
2012196297.tif 000007
【図６】
2012196297.tif 000008
【図７】
2012196297.tif 000009
【図８】
2012196297.tif 000010
【図９】
2012196297.tif 000011
【図１０】
2012196297.tif 000012